(57)【要約】【課題】 延長管とフレキシブルホースとを連結する連結部材に一体に形成された付属品収めクリップが備えられるように構造が改善された掃除機を提供する。【解決手段】 前記のような目的を達成するための本発明に係る掃除機は、吸込ブラシが連結される延長管と、延長管と掃除機本体とを連結し吸込流路を形成する掃除機において、一端は延長管に結合され、その他端は、掃除機本体に連結されたフレキシブルホースに結合される連結部材本体と、連結部材本体に一体に形成されるクランプ手段と、を含むことを特徴とする。【選択図】   図３ 
2005081149.tif 000002
【特許請求の範囲】
【請求項１】
吸込ブラシが連結される延長管と、前記延長管と掃除機本体とを連結し吸込流路を形成する掃除機において、
一端は前記延長管に結合され、その他端は、掃除機本体に連結されたフレキシブルホースに結合される連結部材本体と、
前記連結部材本体に一体に形成されるクランプ手段と、
を含むことを特徴とする掃除機。
【請求項２】
前記連結部材本体は、
前記延長管が結合される延長管固定部と、
前記フレキシブルホースにフレキシブルに結合されるフレキシブルホース結合部と、
を含むことを特徴とする請求項１に記載の掃除機。
【請求項３】
前記延長管固定部とフレキシブルホース結合部とは、一体に形成された成型物であることを特徴とする請求項２に記載の掃除機。
【請求項４】
前記フレキシブルホース結合部は、柔軟性を有するべくその外周面に沿って一定間隔の溝を周期的に形成することを特徴とする請求項２または３に記載の掃除機。
【請求項５】
前記クランプ手段は、付属品を弾力的にクランプするクランプアームを含むことを特徴とする請求項１に記載の掃除機。
【請求項６】
前記クランプアームは、収められる付属品の外形に対応する内周面を有してなることを特徴とする請求項５の記載の掃除機。
【請求項７】
前記クランプアームは、前記連結部材を通る空気の流路に垂直な平断面が、円筒状を有する付属品の外周面に対応する仮想の円弧の一部が切り取られた開放部を有する形状であることを特徴とする請求項５に記載の掃除機。
【請求項８】
前記開放部は、前記クランプアームの前記連結部材に連結された部分を中心にして対称をなすように形成されたことを特徴とする請求項７に記載の掃除機。
【請求項９】
前記クランプアームには、前記開放部からの付属品の進入をガイドするガイド突起が形成されたことを特徴とする請求項８に記載の掃除機。
【請求項１０】
前記ガイド突起は、前記クランプアームの開放部を形成する各端部が折り曲げられてなることを特徴とする請求項９に記載の掃除機。
【発明の詳細な説明】
【技術分野】
【０００１】
本発明は掃除機に関し、より詳しくは、別の収め部品を不要とするように、吸込ブラシが連結される延長管と掃除機本体の集塵室に連結されるフレキシブルホースとを連結する連結部材に付属品がクランプ可能な掃除機に関する。
【背景技術】
【０００２】
図１に示すように、一般の掃除機は、吸込力を発生する真空発生装置（図示せず）が設けられた掃除機本体１０と、使用者の操作のために備えられた作動把手部２０と、作動把手部２０と掃除機本体１０とを連結するフレキシブルホース１５と、被掃除面に接して被掃除面の埃やごみ等を吸い込む吸込ブラシ３５、及び吸込ブラシ３５が着脱自在に結合され作動把手部２０に連結された延長管２５と、を含んでなる。
【０００３】
また、掃除機は、被掃除面によって吸込ブラシ３５を取り替えて掃除作業を行うことができるように各種の付属品を備える。一例として、隅や隙間の被掃除面の掃除作業の際、使用者は、吸込ブラシ３５を延長管２５から取り外して隙間用ノズル３１（ｃｒｅｖｉｃｅ）やはけ３３等に取り替えることにより、効率よい掃除作業を行うことができる。そして、かかる隙間用ノズル３１やはけ３３等を保管するために、延長管２５には、付属品収め装置３０が設けられる。
【０００４】
収め装置３０には、はけ３３や隙間用ノズル３１等を着脱自在にすべく複数の着脱突起３４が形成され、はけ３３や隙間用ノズル３１等の付属品が収められる。
【０００５】
かかる構成を有する一般の掃除機の作動を説明すると、次の通りである。
【０００６】
まず、掃除機に電源が印加されると、掃除機本体１０で吸込力が発生し被掃除面の埃やごみ等を含む空気を吸込ブラシ３５から吸い込む。このようにして吸い込まれる空気は、延長管２５、作動把手部２０、及びフレキシブルホース１５を通って掃除機本体１０内に吸い込まれ、埃やごみ等が捕捉されてから外に排出される。
【０００７】
この時、被掃除面が隙間や隅である場合は、使用者は、吸込ブラシ３５を延長管２５から取り外し、延長管２５の付属品収め装置３０から必要に応じてはけ３３や隙間用ノズル３１等を取り外して延長管２５に取り付ける。
【０００８】
そして、使用者は、隙間用ノズル３１やはけ３３等を用いて隅や隙間等または吸込ブラシ３５では掃除できない所を容易に掃除することができるようになる。
【０００９】
しかし、このような付属品を備えた従来の掃除機の場合、隙間用ノズルまたは手ほうきノズル（ｄｕｓｔｉｎｇ ｂｒｕｓｈ）等のような付属品を収めるためには、本体内部に収め空間を備えるか、または延長管に前記のような収め装置３０を別部材として設けて収めなければならないという不具合がある。特に、図１に示すような収め装置３０を使用する場合、延長管にその別部材をネジまたはクリップ等で取り付けるため、掃除作業中に連結部が破損されるおそれもあるという問題点がある。
【発明の開示】
【発明が解決しようとする課題】
【００１０】
本発明は、前記のような問題点を解決するためになされたものであって、その目的は、延長管とフレキシブルホースとを連結する連結部材に一体に形成された付属品収めクリップが備えられるように構造が改善された掃除機を提供することである。
【課題を解決するための手段】
【００１１】
前記のような目的を達成するための本発明に係る掃除機は、吸込ブラシが連結される延長管と、前記延長管と掃除機本体とを連結し吸込流路を形成する掃除機において、一端は前記延長管に結合され、その他端は、掃除機本体に連結されたフレキシブルホースに結合される連結部材本体と、前記連結部材本体に一体に形成されるクランプ手段と、を含むことを特徴とする。
【００１２】
本発明の好適な実施例によると、前記連結部材本体は、前記延長管が結合される延長管固定部と、前記フレキシブルホースにフレキシブルに結合されるフレキシブルホース結合部と、を含むことが好ましい。
【００１３】
そして、前記延長管固定部とフレキシブルホース結合部とは、一体に形成された成型物であることがよい。
【００１４】
また、前記フレキシブルホース結合部は、柔軟性を有するべくその外周面に沿って一定間隔の溝を周期的に形成することができる。
【００１５】
更に、前記クランプ手段は、付属品を弾力的にクランプするクランプアームを備えることがよい。
【００１６】
この時、前記クランプアームは、収められる付属品の外形に対応する内周面を有してなり、好ましくは、前記連結部材を通る空気の流路に垂直な平断面が、円筒状を有する付属品の外周面に対応する仮想の円弧の一部が切り取られた開放部を有するような形状をなすことがよい。
【００１７】
また、前記開放部は、前記クランプアームの前記連結部材に連結された部分を中心にして対称をなすように形成されることがよい。
【００１８】
そして、前記クランプアームには、前記開放部からの付属品の進入をガイドするガイド突起が形成されることがよく、前記ガイド突起は、前記クランプアームの開放部を形成する各端部が折り曲げられてなる。
【発明の効果】
【００１９】
以上のような本発明に係る掃除機によると、延長管とフレキシブルホースとを連結する連結部材に付属品収めクリップが一体に形成されているため、付属品を収めるための別のクリップを必要とすることなくより容易に付属品を収めることができ、また付属品が延長管でないフレキシブルホースと延長管とを連結する連結部材に収められるため、掃除作業時において家具等との干渉が防がれる。
【発明を実施するための最良の形態】
【００２０】
以下では、添付した図面を参照して、本発明の好適な実施例を具体的に説明する。
【実施例】
【００２１】
図２及び図３に示すように、本発明に係る掃除機は、吸込ブラシ１０１が連結された延長管１０２が、連結部材２００を介して掃除機本体１０５に連結されたフレキシブルホース１０３に連結される。この時、連結部材２００と延長管１０２とは、把手部の役割が果たせるように所定の角度折り曲げられて形成されたハンドル管１０４を介して結合される。
【００２２】
連結部材２００は、延長管１０２に結合される連結部材本体２１０と、連結部材本体２１０と一体に形成され付属品１０６をクランプするクランプ手段２２０を含む。
【００２３】
連結部材本体２１０は、ハンドル管１０４が結合される延長管固定部２１１と、フレキシブルホース１０３にフレキシブルに結合されるフレキシブルホース結合部２１２と、を含む。この時、延長管固定部２１１とフレキシブルホース結合部２１２とは、一体に形成された成形物からなることが好ましい。
【００２４】
延長管固定部２１１は、ハンドル管１０４に結合され、ユーザーが安定した動作で掃除作業が行えるように延長管１０２を強固に固定する。
【００２５】
フレキシブルホース結合部２１２には、柔軟性を有するべくその外周面に沿って一定間隔の溝２１３を周期的に形成する。好ましくは、所定の長さの長方形形態の一定の深さを有する溝が、図３に示すようなパターンで連結部材本体２１０の外周面に沿って繰り返して形成されることが好ましい。このような繰り返しのパターンを有する溝２１３によりフレキシブルホース結合部２１２が柔軟性を有するようになり、フレキシブルホース１０３の折り曲げ等のような変形により結合が解除されることを防ぐ。
【００２６】
そして、クランプ手段２２０は、付属品１０６を弾力的にクランプするクランプアーム２２１を備える。
【００２７】
クランプアーム２２１は、図３及び図４に示すように、収められる付属品１０６の外形に対応する内周面を有してなり、好ましくは、連結部材２００を通る空気の流路に垂直な平断面が、図４に示すように、円筒状を有する付属品１０６の外周面に対応する仮想の円弧の一部が切り取られた開放部２２１ａを有するような形状をなすことがよい。
【００２８】
この時、開放部２２１ａは、クランプアーム２２１の連結部材に連結された部分Ｊを中心にして対称をなすように形成されることがよい。
【００２９】
また、クランプアーム２２１における延長管固定部２１１に向かう側の前面部は、所定の傾斜面Ｓを有するが、この傾斜面Ｓのためより容易な付属品１０６の着脱が可能になる。
【００３０】
そして、クランプアーム２２１には、開放部２２１ａからの付属品１０６の進入をガイドするガイド突起２２２が形成され得る。
【００３１】
ガイド突起２２２は、図４に示すように、開放部２２１ａを形成するクランプアーム２２１の両端部が折り曲げられてなることが好ましい。この時、折り曲げられてなるガイド突起２２２の内角αは、７０−９０°の間の値を有することがよい。内角αが大きすぎると、付属品１０６が離脱し易くなり、逆に、小さすぎると、付属品を容易に収め難くなるため、前記のように適宜の大きさの内角αを維持することがよい。
【００３２】
以下、図２に基づき、本発明に係る掃除機の付属品を収める方法を説明する。
【００３３】
隙間の掃除や布団等のような各種の被掃除面を掃除するための付属品１０６は、図２に示すように、連結部材２００の下部に突設しているクランプアーム２２１に収納される。
【００３４】
付属品１０６を、使用のために使用者が取り外す場合、図２の矢印方法に引っ張ると、クランプアーム２２１の両側面が弾性変形しながら下部に対して開放された開放部２２１ａから取り外される。従って、使用者は、付属品１０６を引っ張る動作だけで収められている付属品１０６を取り外すことができる。
【００３５】
また、付属品１０６の使用が済み、再び収める場合には、開放部２２１ａから付属品１０６を進入させクランプアーム２２１を弾性変形させることで収めることができる。この時、ガイド突起２２２は、付属品１０６の外周面をガイドして挿入動作がより容易に行われるように挿入経路をガイドする。
【００３６】
従って、使用者は別の付属品収め装置を必要とすることなく自在に付属品１０６を収めることができ、付属品を収めるためのクランプ手段２２０が延長管１０２とフレキシブルホース１０３とを連結する連結部材２００に設けられているため、掃除作業の途中、被掃除面の付近に位置する家具またはその他の障害物と収められている付属品とが干渉することで掃除の邪魔になるということが発生しない。
【００３７】
以上では、本発明を、本発明の原理を説明するための好適な実施例について図示し説明したが、本発明は、そのように図示し説明されたそのままの構成及び作用に限定されるものではなく、却って、添付された特許請求の範囲の思想及び範疇を逸脱することなく、各種の変更及び修正が可能であることを当該発明の属する技術分野における通常の知識を有する者であれば誰でも容易に理解できるはずである。従って、かかるすべての適切な変更及び修正と均等物も本発明の範囲に属することとみなされるべきである。
【産業上の利用可能性】
【００３８】
延長管とフレキシブルホースとを連結する連結部材に付属品収めクリップが一体に形成されているため、付属品を収めるための別のクリップを必要とすることなくより容易に付属品を収めることができ、また付属品が延長管でないフレキシブルホースと延長管とを連結する連結部材に収められるため、掃除作業時において家具等との干渉が防がれる。
【図面の簡単な説明】
【００３９】
【図１】一般の真空掃除機を示す斜視図である。
【図２】本発明の好適な実施例に係る付属品クランプ手段を備えた真空掃除機を示す斜視図である。
【図３】図２のクランプ手段を抜粋して示す図である。
【図４】図３のＩＶ-ＩＶ断面図である。
【符号の説明】
【００４０】
１０１   吸込ブラシ
１０２   延長管
１０３   フレキシブルホース
１０４   ハンドル管
１０５   掃除機本体
２００   連結部材
２１０   連結部材本体
２１１   延長管固定部
２１２   フレキシブルホース結合部
２２０   クランプ手段
２２１   クランプアーム
２２２   ガイド突起
【図１】
2005081149.tif 000003
【図３】
2005081149.tif 000004
【図４】
2005081149.tif 000005
【図２】
2005081149.tif 000006